(57)【要約】【課題】遊技媒体が不正に払い出されることを抑制する。【解決手段】ＣＲユニット２００の管理制御装置２０４には、利用可能ランプ２０３と、外部中継端子板２０５と、挿入部２０１に挿入された記録媒体が記録する残額情報の読み出し及び書き換えを行う記録媒体読み書き部２０６と、が接続されている。ＣＲユニット２００の外部中継端子板２０５には、パチンコ機１０の外部中継端子板１５１が接続されており、当該外部中継端子板１５１には、払出制御装置９４と貸球操作部２０が接続されている。また、ＣＲユニット２００の外部中継端子板２０５には、貸出要求信号を監視する監視回路２１３が設けられており、当該監視回路２１３から管理制御装置２０４に監視信号が出力されるようになっている。【選択図】      図１０
2020168471.tif 000002
【特許請求の範囲】
【請求項１】
所定条件が成立した場合に遊技媒体を払い出す遊技機と、前記遊技機の外部から前記遊技機に前記遊技媒体を払い出させるための特定信号を出力する外部装置と、を備えた遊技機システムにおいて、前記遊技機に前記特定信号が入力されたと認識させる不正信号が入力されたことを検知する検知手段と、前記特定信号を伝送する伝送手段と、を備え、前記伝送手段には、前記特定信号を前記外部装置から前記遊技機に伝送する一方で前記遊技機から前記外部装置に伝送することを規制する規制手段を設け、前記検知手段を、前記外部装置から前記規制手段までの信号出力状況と、前記規制手段から前記遊技機までの信号出力状況と、を監視し、一方の信号出力状況が他方の信号出力状況と異なる場合に前記不正信号が入力されたと検知する構成とし、前記検知手段を前記外部装置に設けたことを特徴とする遊技機システム。
【発明の詳細な説明】
【技術分野】
【０００１】
本発明は、遊技機システム及び遊技機システムに用いられる遊技機に関するものである。
【背景技術】
【０００２】
例えば遊技場等には、パチンコ機とＣＲユニットを備えた遊技機システムが設置されている。ＣＲユニットは、カード等の記録媒体に記録された金額に関わる情報の読み出し及び書き換えを行うものであって、例えばパチンコ機に設けられた球貸しボタンが操作された場合、遊技球を払い出させるための払出要求信号をパチンコ機に出力する。パチンコ機は、払出要求信号が入力された場合に所定数の遊技球を払い出し、遊技球の払出が完了した場合に完了信号をＣＲユニットに出力する。ＣＲユニットは、完了信号が入力された場合、記録媒体に記録された情報を、球貸しボタンの操作と対応する金額を減額した情報に書き換える（例えば特許文献１参照）。
【先行技術文献】
【特許文献】
【０００３】
【特許文献１】特開２００４−１８１１１７号公報
【発明の概要】
【発明が解決しようとする課題】
【０００４】
上記構成の遊技機システムにおいては、例えばパチンコ機に不正基板等が設置され、当該不正基板等からパチンコ機に払出要求信号が入力されたと誤認識させるための不正信号が出力された場合、記録媒体に記録された情報が変更されることなく不正に遊技球が払い出される恐れがあり、遊技場等が多大な不利益を被ることが懸念される。
【０００５】
なお、以上の問題は、パチンコ機とＣＲユニットを備えた遊技機システムに限らず、遊技機に遊技媒体を払い出させるための払出要求信号を出力する外部装置と、払出要求信号が入力された場合に遊技媒体を払い出す遊技機とを備えた他の遊技機システムにも該当する問題である。また、上記遊技機システムに用いられる遊技機にも該当する問題である。
【０００６】
本発明は上記例示した事情等に鑑みてなされたものであり、遊技媒体が不正に払い出されることを抑制することを目的とする。
【課題を解決するための手段】
【０００７】
請求項１記載の発明は、所定条件が成立した場合に遊技媒体を払い出す遊技機と、前記遊技機の外部から前記遊技機に前記遊技媒体を払い出させるための特定信号を出力する外部装置と、を備えた遊技機システムにおいて、前記遊技機に前記特定信号が入力されたと認識させる不正信号が入力されたことを検知する検知手段と、前記特定信号を伝送する伝送手段と、を備え、前記伝送手段には、前記特定信号を前記外部装置から前記遊技機に伝送する一方で前記遊技機から前記外部装置に伝送することを規制する規制手段を設け、前記検知手段を、前記外部装置から前記規制手段までの信号出力状況と、前記規制手段から前記遊技機までの信号出力状況と、を監視し、一方の信号出力状況が他方の信号出力状況と異なる場合に前記不正信号が入力されたと検知する構成とし、前記検知手段を前記外部装置に設けたことを特徴とする。
【発明の効果】
【０００８】
遊技媒体が不正に払い出されることを抑制することが可能となる。
【図面の簡単な説明】
【０００９】
【図１】一実施の形態におけるパチンコ機及びＣＲユニットを示す正面図である。
【図２】前扉枠を閉じた状態を示すパチンコ機の斜視図である。
【図３】前扉枠を開いた状態を示すパチンコ機の斜視図である。
【図４】本体枠を開いた状態を示すパチンコ機の斜視図である。
【図５】遊技盤の構成を示す正面図である。
【図６】遊技盤の構成を示す背面図である。
【図７】パチンコ機の構成を示す背面図である。
【図８】（ａ）は、外部中継ユニットを開いた状態を示す拡大斜視図、（ｂ）は、外部中継ユニットの拡大断面図である。
【図９】パチンコ機の電気的構成を示すブロック図である。
【図１０】パチンコ機とＣＲユニットの電気的構成を示すブロック図である。
【図１１】パチンコ機とＣＲユニットにおいて入出力される信号を示す表である。
【図１２】監視回路の構成を示す回路図である。
【図１３】貸出球を払い出す場合における各信号の入出力状況を示すタイミングチャートである。
【図１４】（ａ）は、他の構成における外部中継ユニットを開いた状態を示す拡大斜視図、（ｂ）は、外部中継ユニットの拡大断面図である。
【図１５】外部中継端子板の分解斜視図である。
【図１６】（ａ）は、他の構成における外部中継ユニットを開いた状態を示す拡大斜視図、（ｂ）は、外部中継ユニットの拡大断面図である。
【図１７】（ａ）は、他の構成における外部中継ユニットを開いた状態を示す拡大斜視図、（ｂ）は、外部中継ユニットの拡大断面図である。
【発明を実施するための形態】
【００１０】
以下、遊技機システムの一実施の形態を、図面に基づいて詳細に説明する。
【００１１】
図１は、本実施の形態における遊技機システムを構成するパチンコ機１０及びＣＲユニット２００の正面図、図２はパチンコ機１０の斜視図、図３はパチンコ機１０の前扉枠１３を開いた状態の斜視図、図４はパチンコ機１０の本体枠１２を開いた状態の斜視図である。なお、図１〜図３では便宜上、パチンコ機１０の遊技領域内の構成を空白としている。
【００１２】
図１〜図４に示すように、パチンコ機１０は、取付対象としての外枠１１を備えており、該外枠１１の一側部には、本体枠１２が開閉可能に支持されている。その開閉軸線はパチンコ機１０の正面からみて左側に上下へ延びるように設定されており、その開閉軸線を軸心にして本体枠１２が前方に開放できるようになっている。なお、外枠１１に代わる構成として設置枠体を遊技ホール側に予め設けておき、遊技ホールへのパチンコ機１０の設置に際しては本体枠１２を前記設置枠体に組み付ける構成とすることも可能である。
【００１３】
本体枠１２の前面側には、本体枠１２を覆うようにして前面扉としての前扉枠１３が設けられている。前扉枠１３は、本体枠１２に対して開閉可能に取り付けられており、本体枠１２と同様、パチンコ機１０の正面からみて左側に上下に延びる開閉軸線を軸心にして前方に開放できるようになっている。前扉枠１３には、その中央部に略円形状の窓部１４が形成されている。本体枠１２には、窓部１４と対応する位置に、遊技盤１５が着脱可能に装着されている。そして、遊技盤１５の前面部の略中央部分だけが前扉枠１３の窓部１４を通じて視認可能な状態となっている。本実施の形態では、これら本体枠１２、前扉枠１３、遊技盤１５等により遊技機本体が構成されている。
【００１４】
前扉枠１３には、手前側へ膨出した第１膨出部１６が窓部１４の下方に設けられており、その第１膨出部１６内側には、上方に開口した上皿１７が設けられている。上皿１７は、第１払出口１８より払い出された遊技球を一旦貯留し、一列に整列させながら下流側（本実施の形態では右側）へ導くための球受皿である。第１膨出部１６には、上皿１７の下流側に球抜きスイッチ１９が設けられるとともに、上皿１７の前方に貸球操作部２０が配設されている。球抜きスイッチ１９は、上皿１７に貯留された遊技球を排出するために操作されるものである。貸球操作部２０には、球貸しボタン２１と、返却ボタン２２と、度数表示部２３とが設けられている。球貸しボタン２１は、ＣＲユニット２００に挿入されたカード等の記録媒体の情報に基づいて貸出球を得るために操作されるものであり、記録媒体に残額が存在する限りにおいて貸出球が払い出される。返却ボタン２２は、ＣＲユニット２００に挿入された記録媒体の返却を求める際に操作される。度数表示部２３は、記録媒体の残額情報を表示するための３つの７セグメントＬＥＤと、貸出操作可能であることを示すための操作可能ランプと、により構成されている。また、第１膨出部１６の前面側中央部には、遊技者により操作可能なプッシュ式の選択スイッチ２４が設けられている。選択スイッチ２４には図示しないランプが内蔵されており、選択操作が有効とされる状況下ではランプが点灯表示され、選択操作が無効とされる状況下ではランプが消灯表示されるようになっている。そして、当該ランプが点灯表示されている状況下で選択スイッチ２４を操作された場合、図柄表示装置４１の表示モードが変更されるようになっている。
【００１５】
前扉枠１３の下部位置には、手前側へ膨出した第２膨出部２５が設けられており、その第２膨出部２５内側には、上方に開口した下皿２６が設けられている。下皿２６は、第２払出口２７より払い出された遊技球を一旦貯留するための球受皿である。下皿２６には、例えば球抜きレバー１９を操作された場合、上皿１７に貯留された遊技球が第２払出口２７より排出されるようになっている。第２膨出部２５前面側には、下皿２６に貯留された遊技球を下方に排出するための球抜きレバー２８が設けられている。また、第２膨出部２５の右方には、手前側へ突出するようにして遊技球発射ハンドル２９が設けられている。遊技球発射ハンドル２９は、本体枠１２の背面側に設けられた電源・発射制御装置９２（図４参照）と接続されており、電源・発射制御装置９２には、遊技球を発射させるための遊技球発射装置３０（図４参照）が接続されている。このため、上皿１７に貯留された遊技球は、遊技者が遊技球発射ハンドル２９を回転させることにより、遊技盤１５に形成された遊技領域に向けて発射される。
【００１６】
次に、遊技盤１５の構成を図５に基づいて説明する。遊技盤１５には、遊技球発射装置３０より発射された遊技球を遊技盤１５上部に案内する内レール３１と外レール３２が設けられている。内レール３１は右上方の約１／２ほどを除いて略半円環状に形成され、外レール３２は内レール３１の上方開放領域を囲むようにかつ内レール３１の左側部と並行するように略半円環状に形成されている。本実施の形態では、遊技盤１５のうち内レール３１と外レール３２によって囲まれた領域が、遊技球の流下可能な遊技領域となっている。
【００１７】
遊技盤１５には、ルータ加工が施されることによって前後方向に貫通する大小複数の開口部が形成されている。遊技盤１５の表面には、各開口部と対応する位置に、一般入賞口３３、可変入賞装置３４、作動口装置３５、スルーゲート３６及び可変表示ユニット３７等がそれぞれ取り付けられている。作動口装置３５には、上側作動口３５ａと下側作動口３５ｂとが設けられ、更に下側作動口３５ｂには左右一対の可動片よりなる電動役物が設けられている。本実施の形態では、可変表示ユニット３７が遊技盤１５の略中央に配置され、その下方に作動口装置３５が配置され、さらにその下方に可変入賞装置３４が配置されている。また、可変表示ユニット３７の左右両側にスルーゲート３６が配置され、遊技盤１５の下部両側に一般入賞口３３がそれぞれ複数配置されている。
【００１８】
前記一般入賞口３３、可変入賞装置３４及び作動口３５ａ，３５ｂに遊技球が入賞すると、遊技盤１５の背面側に設けられた検出スイッチにより検出され、その検出結果に基づいて上皿１７（場合によっては下皿２６）に対し所定数の賞球が払い出される。
【００１９】
その他に、遊技盤１５の最下部にはアウト口３８が設けられており、各種入賞口等に入らなかった遊技球はアウト口３８を通って図示しない球排出路の方へと案内されるようになっている。また、遊技盤１５には、遊技球の落下方向を適宜分散、調整等するために多数の釘が植設されていると共に、風車３９等の各種部材（役物）が配設されている。
【００２０】
可変表示ユニット３７には、作動口３５ａ，３５ｂへの入賞をトリガとして図柄を変動表示する図柄表示装置４１が設けられている。可変表示ユニット３７には、図柄表示装置４１を囲むようにしてセンターフレーム４２が配設されている。センターフレーム４２の右上部には、所定の識別情報を表示するための第１特定ランプ部４３ａと第２特定ランプ部４３ｂが横並びの状態で設けられている。センターフレーム４２の左上部には、役物ランプ部４４と、該役物ランプ部４４に対応した役物保留ランプ４５が設けられている。遊技球がスルーゲート３６を通過した回数は最大４回まで保留され、役物保留ランプ４５の点灯によってその保留個数が表示されるようになっている。また、センターフレーム４２の左下部には、第１特定ランプ部４３ａ及び図柄表示装置４１に対応した第１保留ランプ４６ａが設けられており、センターフレーム４２の右下部には、第２特定ランプ部４３ｂ及び図柄表示装置４１に対応した第２保留ランプ４６ｂが設けられている。遊技球が作動口３５ａ，３５ｂに入賞した個数はそれぞれ最大４個まで保留され、対応する保留ランプ４６ａ，４６ｂの点灯によってその保留個数が表示されるようになっている。すなわち、上側作動口３５ａに遊技球が入賞した場合には第１保留ランプ４６ａが点灯され、下側作動口３５ｂに遊技球が入賞した場合には第２保留ランプ４６ｂが点灯されるようになっている。
【００２１】
図柄表示装置４１は液晶ディスプレイを備えた液晶表示装置として構成されており、後述する表示制御装置６２により表示内容が制御される。図柄表示装置４１には、例えば上、中及び下に並べて図柄が表示され、これらの図柄が左右方向にスクロールされるようにして変動表示されるようになっている。そして、予め設定されている有効ライン上に所定の図柄の組み合わせが停止表示された場合には、大当たり発生としてそれ以降の遊技状態が特別遊技状態としての大当たり状態に移行する。また、図柄表示装置４１には、各作動口３５ａ，３５ｂに遊技球が入賞した順序を把握可能に各保留個数が表示されるようになっている。
【００２２】
第１特定ランプ部４３ａ及び第２特定ランプ部４３ｂには、その内側に赤、緑、青の３色発光タイプのＬＥＤが配設されている。各特定ランプ部４３ａ，４３ｂは、対応する作動口３５ａ，３５ｂへの入賞をトリガとして、所定の順序で発光色の切り替えが行われる。第１特定ランプ部４３ａを例として具体的に説明すると、上側作動口３５ａへの入賞をトリガとして、赤色光が点灯され、その状態で所定時間が経過すると緑色光に発光色が切り替えられる。そして、緑色光が点灯された状態で前記所定時間が経過すると青色光に発光色が切り替えられる。その後、発光色の切り替え停止時期がくるまで、赤色、緑色、青色という順序で発光色の切り替えが繰り返し行われる。これにより、第１特定ランプ部４３ａには、赤色、緑色、青色が、この順序で繰り返し表示されることとなる。そして、最終的に赤色又は緑色が停止表示された場合には、大当たり発生としてそれ以降の遊技状態が大当たり状態に移行し、青色が停止表示された場合には、大当たり発生とならず大当たり状態に移行しない。第２特定ランプ部４３ｂについても同様であり、下側作動口３５ｂへの入賞をトリガとして、赤色、緑色、青色が、この順序で繰り返し表示されることとなる。そして、最終的に赤色又は緑色が停止表示された場合には、大当たり発生としてそれ以降の遊技状態が大当たり状態に移行し、青色が停止表示された場合には、大当たり発生とならず大当たり状態に移行しない。
【００２３】
役物ランプ部４４には、その内側に赤、緑の２色発光タイプのＬＥＤが配設されている。この役物ランプ部４４は、スルーゲート３６の通過をトリガとして、所定の順序で発光色の切り替えが行われる。具体的には、遊技球がスルーゲート３６を通過すると、赤色光の点灯と緑色光の点灯とが交互に行われる。これにより、役物ランプ部４４には、赤色、緑色が交互に表示されることとなる。そして、赤色が停止表示された場合には、下側作動口３５ｂに設けられた電動役物が開放状態に切り替えられるようになっている。電動役物は、予め定めた閉鎖条件が成立するまで開放状態が継続されるようになっている。
【００２４】
可変入賞装置３４は、通常状態において遊技球が入賞できない閉鎖状態になっており、大当たり状態に移行すると遊技球が入賞しやすい所定の開放状態に切り替えられるようになっている。より詳しくは、可変入賞装置３４が開放状態となると、可変入賞装置３４の大入賞口に遊技球が入賞し易い状態となる。そして、可変入賞装置３４は、開放時間（例えば２９．５秒）の経過又は所定数（例えば９個）の遊技球が入賞した場合に閉鎖状態に切り替えられる。大当たり状態は、可変入賞装置３４が開閉されたことを１ラウンドとして、１５ラウンドの開閉が行われるまで継続する。なお、可変入賞装置３４の閉鎖状態を、遊技球が入賞できない状態ではなく遊技球が入賞し難い状態としてもよい。
【００２５】
前扉枠１３の説明に戻り、前扉枠１３にはその周囲に各種ランプ等の発光手段が設けられている。これら発光手段は、大当たり状態下や所定のリーチ演出時等において点灯、点滅のように発光態様が変更制御されることにより、遊技中の演出効果を高める役割を果たす。例えば、窓部１４の上部周縁に沿ってＬＥＤ等の発光手段を内蔵した電飾部５１が設けられ、電飾部５１の中央であってパチンコ機１０の最上部にはＬＥＤ等の発光手段を内蔵した中央電飾部５２が設けられている。本パチンコ機１０では、中央電飾部５２が大当たりランプとして機能し、大当たり状態下で点灯や点滅を行うことにより大当たり状態に移行していることを報知する。また、第１膨出部１６にも、同じくＬＥＤ等の発光手段を内蔵した上皿電飾部５３が設けられている。さらに、前扉枠１３には、電飾部５１を挟むようにして左右一対のスピーカカバー部５４が形成されており、当該スピーカカバー部５４の後方に設置されたスピーカ５５の出力音がスピーカカバー部５４を通じて前方に発せられるようになっている。
【００２６】
次に、パチンコ機１０の背面の構成を説明する。図６は遊技盤１５の背面図、図７はパチンコ機１０の背面図である。なお、理解を容易なものとするため、先ず遊技盤１５の背面の構成を説明する。
【００２７】
遊技盤１５の背面側には、可変表示ユニット３７及び図柄表示装置４１を覆うようにして合成樹脂製のフレームカバー６１が設けられており、そのフレームカバー６１の後端（図６においては手前側）には、図柄表示装置４１と前後に重なるようにして表示制御装置６２が着脱可能に取り付けられている。また、フレームカバー６１には、表示制御装置６２を覆うようにしてサブ制御装置ユニット６３が取り付けられている。サブ制御装置ユニット６３は、取付台６４を有し、該取付台６４にサブ制御装置６５が搭載されている。サブ制御装置６５は、後述する主制御装置７１からの指令に基づいて、表示制御装置６２や電飾部５１等の制御を行う。サブ制御装置ユニット６３は、何ら工具等を用いずに着脱できるよう構成されるとともに、一部に支軸部を設けて遊技盤１５の裏面に対して展開できる構成となっている。これは、サブ制御装置ユニット６３によって覆われることとなる表示制御装置６２等を容易に確認することを可能とするための工夫である。具体的に説明すると、サブ制御装置ユニット６３には遊技盤１５の背面から見て右端部に支軸部６６が設けられ、その支軸部６６による軸線を中心にサブ制御装置ユニット６３が回動可能となっている。また、サブ制御装置ユニット６３には、支軸部６６の反対側となる開放端側に、ナイラッチ（登録商標）等よりなる締結部６７が設けられており、この締結部６７によってサブ制御装置ユニット６３が遊技盤１５（フレームカバー６１）の裏面に沿った状態で保持されるようになっている。
【００２８】
遊技盤１５の裏面であって可変表示ユニット３７の下方には、集合板ユニット６８が設けられている。集合板ユニット６８には、各種入賞口に入賞した遊技球やアウト口３８を通過した遊技球を回収するための遊技球回収機構や、各種入賞口等への遊技球の入賞を検知するための入賞検知機構などが設けられている。
【００２９】
入賞検知機構について簡単に説明すると、集合板ユニット６８には、遊技盤１５表側の一般入賞口３３と対応する位置に入賞口スイッチが設けられ、可変入賞装置３４と対応する位置にカウントスイッチが設けられている。カウントスイッチは、可変入賞装置３４に入賞した遊技球の数をカウントするスイッチである。また、作動口装置３５の上側作動口３５ａと対応する位置には当該上側作動口３５ａへの遊技球の入賞を検知する上側作動口スイッチが設けられ、下側作動口３５ｂと対応する位置には当該下側作動口３５ｂへの遊技球の入賞を検知する下側作動口スイッチが設けられている。さらに、スルーゲート３６と対応する位置にはスルーゲート３６の遊技球の通過を検知するゲートスイッチが設けられている。入賞口スイッチ、ゲートスイッチ及びカウントスイッチは、図示しない中継基板を介して後述する主制御装置７１に接続されており、上側作動口スイッチと下側作動口スイッチは、中継基板を介することなく直接主制御装置７１に接続されている。
【００３０】
上記入賞検知機構にて各々検出された検出結果は主制御装置７１に取り込まれ、該主制御装置７１よりその都度の入賞状況に応じた払出指令（遊技球の払出個数）が払出制御装置９４に送信される。そして、払出制御装置９４の出力により所定数の遊技球の払出が実行されるようになっている。
【００３１】
集合板ユニット６８の裏面には、主制御装置ユニット６９が取り付けられている。主制御装置ユニット６９は、主制御取付台７０を有し、該主制御取付台７０に主制御装置７１が搭載されている。主制御装置７１は、遊技に関わる主たる制御を行う。主制御装置ユニット６９は、何ら工具等を用いずに着脱できるよう構成されるとともに、一部に支軸部を設けて遊技盤１５の裏面に対して展開できる構成となっている。具体的に説明すると、主制御装置ユニット６９には遊技盤１５の背面から見て左端部に支軸部７２が設けられ、その支軸部７２による軸線を中心に主制御装置ユニット６９が回動可能となっている。また、主制御装置ユニット６９には、その右端部すなわち支軸部７２の反対側となる開放端側に、ナイラッチ等よりなる締結部７３が設けられており、この締結部７３によって主制御装置ユニット６９が遊技盤１５（集合板ユニット６８）の裏面に沿った状態に保持されるようになっている。
【００３２】
本体枠１２には、上述した遊技盤１５が裏面側より設置され、本体枠１２に設けられた複数の係止固定具によって後方へ脱落しないように固定されている。また、例えば図４等に示すように、本体枠１２の開放端側には、施錠装置７５が設けられている。施錠装置７５は、上下方向に延び本体枠１２に固定された基枠７６と、その基枠７６に対して上下方向に移動可能に組み付けられた長尺状の連動杆７７とを備え、基枠７６の下部にシリンダ錠７８が一体化されている。当該施錠装置７５は、シリンダ錠７８だけが本体枠１２の前方に突出するとともにパチンコ機１０前面に露出するように、本体枠１２に設けられている。シリンダ錠７８は、本体枠１２の施解錠と前扉枠１３の施解錠とを共に賄う機能を有しており、鍵穴に差し込んだキーを一方に回すと外枠１１に対する本体枠１２の施錠が解除され、キーを他方に回すと本体枠１２に対する前扉枠１３の施錠が解除されるようになっている。本体枠１２には、施錠装置７５側の下部に、遊技球発射装置３０が設けられている。
【００３３】
本体枠１２の背面側には、当該本体枠１２を覆うようにして裏セット機構８１が取り付けられている。裏セット機構８１は、何ら工具等を用いずに着脱できるよう構成されるとともに、一部に支軸部を設けて本体枠１２の裏面に対して展開できる構成となっている。具体的に説明すると、裏セット機構８１には本体枠１２の背面から見て右端部に支軸部８２が設けられ、その支軸部８２による軸線を中心に裏セット機構８１が回動可能となっている。また、裏セット機構８１には、支軸部８２の反対側となる開放端側に、ナイラッチ等よりなる締結部８３が設けられるとともに、本体枠１２には、上端部及び下端部にそれぞれ回動式の係止部が設けられており、これら締結部８３及び係止部によって裏セット機構８１が本体枠１２の裏面に沿った状態に保持されるようになっている。
【００３４】
裏セット機構８１には、遊技盤１６の背面側を覆うようにして、より具体的には、サブ制御装置ユニット６３と主制御装置ユニット６９の一部とを覆うようにして、透明樹脂材料にて成形された防護カバー８４が設けられている。
【００３５】
また、裏セット機構８１には、防護カバー８４を迂回するようにして払出機構部８５が配設されている。すなわち、裏セット機構８１の最上部には上方に開口した貯留タンク８６が設けられており、貯留タンク８６には遊技ホールの島設備から供給される遊技球が逐次補給される。貯留タンク８６の下方には、例えば横方向２列（２条）の球通路を有し下流側に向けて緩やかに傾斜するタンクレール８７が連結され、タンクレール８７の下流側には、上下方向に延びるケースレール８８が連結されている。ケースレール８８の下流側には、払出装置８９が設けられている。払出装置８９は、遊技球を下流側に払い出すための払出モータ、払出モータの回転を検出する払出回転センサ、払い出される遊技球数をカウントする払出カウントスイッチ等を有する。当該払出装置８９は、払出制御装置９４からの払出指令により払出モータを駆動し、必要個数の遊技球の払出を適宜行う。払出装置８９より払い出された遊技球は、図示しない払出通路等を通じて上皿１７又は下皿２６に供給される。払出装置８９の下方には、裏セット中継基板９０が設けられている。裏セット中継基板９０は、払出制御装置９４から払出装置８９への払出指令信号を中継する機能と、外部より例えば交流２４ボルトの主電源を取り込む機能とを有する。裏セット中継基板９０には電源スイッチ９１が設けられており、当該電源スイッチ９１を切替操作することで電源ＯＮと電源ＯＦＦとを切り替えることができる。
【００３６】
裏セット機構８１には、防護カバー８４の下方に電源・発射制御装置９２が設けられている。電源・発射制御装置９２は、裏セット機構８１が本体枠１２の裏面に沿った状態で保持された場合に、主制御装置７１の下方に位置するように設けられている。電源・発射制御装置９２は、各種制御装置等で要する所定の電源を生成して出力するとともに、遊技球発射操作部２９が操作された場合に遊技球の打ち出しの制御を行う。また、電源・発射制御装置９２には、ＲＡＭ消去スイッチ９３が設けられている。本パチンコ機１０は各種データの記憶保持機能を有しており、万一停電が発生した際でも停電時の状態を保持し、停電からの復帰（復電）の際には停電時の状態に復帰できるようになっている。しかしながら、ＲＡＭ消去スイッチ９３を押しながら電源を投入した場合には、ＲＡＭデータが初期化されるようになっている。電源・発射制御装置９２の背面側には、当該電源・発射制御装置９２と前後に重なるようにして払出制御装置９４が設けられている。払出制御装置９４は、賞球や貸出球を払い出す制御を行う。払出制御装置９４の右方には、外部中継ユニット１５０が設けられている。
【００３７】
ここで、外部中継ユニット１５０の構成を図７及び図８を用いて説明する。図８（ａ）は、外部中継ユニット１５０を開いた状態を示す拡大斜視図、図８（ｂ）は、外部中継ユニット１５０の拡大断面図である。なお以下では、パチンコ機１０の背面（図７参照）を基準として、上下左右等の方向を特定することとする。
【００３８】
外部中継ユニット１５０は、ＣＲユニット２００及び払出制御装置９４が接続される外部中継端子板１５１と、当該外部中継端子板１５１の前面側を覆うカバー部材１６１と、より構成されている。
【００３９】
外部中継端子板１５１は縦長矩形状のプリント基板であって、その表面には、図７及び図８（ｂ）に示すように、ＣＲユニット２００と接続されたケーブルコネクタ（図示略）が接続される第１ソケット１５２と、払出制御装置９４と接続されたケーブルコネクタ（図示略）が接続される第２ソケット１５３と、貸球操作部２０と接続されたケーブルコネクタ（図示略）が接続される第３ソケット１５４と、の他に、コンデンサ１５５等が搭載されている。第１ソケット１５２〜第３ソケット１５４及びコンデンサ１５５等の搭載部品は、外部中継端子板１５１の裏面側において半田付けされることにより、外部中継端子板１５１と機械的及び電気的に接続されている。より詳しくは、外部中継端子板１５１には、第１ソケット１５２〜第３ソケット１５４及びコンデンサ１５５等の搭載部品の接続ピンを挿通するための挿通孔が形成されており、前記搭載部品は、挿通孔に接続ピンが挿通されるとともに、外部中継端子板１５１の裏面側における接続ピンの基端部を含む少なくとも一部が半田付けされることにより、外部中継端子板１５１と機械的及び電気的に接続されている。また、図８に示すように、外部中継端子板１５１には、その左端部に、第１ソケット１５２に沿って長辺方向に延びるとともに前後に貫通する貫通孔１５６が形成されている。以下では、第１ソケット１５２と外部中継端子板１５１を接続する各半田部材及び第１ソケット１５２の各接続ピンを第１固定部１５７と総称し、第２ソケット１５３と外部中継端子板１５１を接続する各半田部材及び第２ソケット１５３の各接続ピンを第２固定部１５８と総称し、第３ソケット１５４と外部中継端子板１５１を接続する各半田部材及び第３ソケット１５４の各接続ピンを第３固定部１５９と総称し、コンデンサ１５５と外部中継端子板１５１を接続する各半田部材及びコンデンサの各接続ピンを第４固定部１６０と総称する。
【００４０】
カバー部材１６１は、透明な合成樹脂材料によって形成されており、外部中継端子板１５１のコンデンサ１５５等を収容するための収容部１６２を有している。収容部１６２は、電源・発射制御装置９２側に開放された縦長矩形の箱状に形成されており、収容部１６２の第１ソケット１５２〜第３ソケット１５４と対応する位置には、これらソケット１５２，１５３，１５４を挿通するための挿通孔が形成されている（図示略）。カバー部材１６１には、その右端部に、上下一対の支軸部１６３が形成されており、その左端上部及び左端下部に、係止爪部１６４が形成されている。加えて、カバー部材１６１の上面部中央及び下面部中央には、外部中継端子板１５１を係止固定するための第２係止爪部１６５が形成されている。
【００４１】
ここで、外部中継ユニット１５０の組立作業について説明する。
【００４２】
先ず、第２係止爪部１６５に外力を加え、当該第２係止爪部１６５を収容部１６２外方に撓ませる。そして、かかる状態で外部中継端子板１５１の各ソケット１５２，１５３，１５４をカバー部材１６１の挿通孔へ挿通する。その後、第２係止爪部１６５に加えている外力を解除する。これにより、外部中継端子板１５１は、収容部１６２の上面部及び下面部によって上下方向への移動が規制され、収容部１６２の左面部及び右面部によって左右方向への移動が規制され、収容部１６２の前面部及び第２係止爪部１６５によって前後方向への移動が規制され、カバー部材１６１に固定される。そして、外部中継端子板１５１は、カバー部材１６１に装着された場合、外部中継端子板１５１の後端（すなわち各固定部１５７〜１６０の先端）が収容部１６２の後端（すなわち開放側先端）より前方に位置した状態でカバー部材１６１に固定されるようになっている。
【００４３】
電源・発射制御装置９２の前面右端部には、上下一対の軸受部１７１が形成されている。外部中継ユニット１５０は、カバー部材１６１の支軸部１６３が軸受部１７１に挿入されることにより、電源・発射制御装置９２に対して回動可能に支持されている。また、電源・発射制御装置９２には、カバー部材１６１の係止爪部１６４と対応する位置に係止孔１７２が形成されている。外部中継ユニット１５０は、カバー部材１６１の係止爪部１６４が係止孔１７２に挿通されることにより、電源・発射制御装置９２に沿った状態で、すなわちカバー部材１６１の後面と電源・発射制御装置９２の前面壁部１９２とが当接した状態で保持されるようになっている。
【００４４】
また、電源・発射制御装置９２の前面壁部１９２には、外部中継ユニット１５０と対応する位置に、電源・発射制御装置９２からほぼ垂直に外部中継端子板１５１側へと延びる複数のリブ１７３が一体形成されている。そして、これらリブ１７３により、第１固定部１５７を囲う矩形枠状の第１囲い部１７４と、第２固定部１５８を囲う矩形枠状の第２囲い部１７５と、第３固定部１５９を囲う矩形枠状の第３囲い部１７６と、第４固定部１６０を囲う矩形枠状の第４囲い部１７７と、が形成されている。
【００４５】
上述したとおり、外部中継端子板１５１は、外部中継端子板１５１の後端（すなわち各固定部１５７〜１６０の先端）が収容部１６２の開放側端部より前方に位置した状態でカバー部材１６１に固定されるようになっている。このため、外部中継ユニット１５０が電源・発射制御装置９２に保持されている状態では、カバー部材１６１内部において、電源・発射制御装置９２の前面壁部１９２と、外部中継端子板１５１の裏面と、の間に所定の隙間領域が形成されることとなる。しかしながら、第１囲い部１７４〜第４囲い部１７７を備えた構成においては、隙間領域をこれら囲い部１７４，１７５，１７６，１７７によって区画することができる。これにより、隙間領域に不正基板等を設置する不正を防止することが可能となる。また、カバー部材１６１は透明な合成樹脂材料で形成されており、外部中継端子板１５１には貫通孔１５６が形成されている。このため、外部中継ユニット１５０を電源・発射制御装置９２から開放せずとも、貫通孔１５６を通じて第１ソケット１５２背面に形成される隙間領域（すなわち第１囲い部１７４）に不正基板等が設置されていないかを確認することができる。なお、リブ１７３は、外部中継ユニット１５０が閉鎖状態で電源・発射制御装置９２に保持されている場合、外部中継端子板１５１と当接する前後寸法とされている。このため、外部中継ユニット１５０と電源・発射制御装置９２の当接面から第１囲い部１７４等に異物が挿入されることを防止できる。
【００４６】
次に、本パチンコ機１０の電気的構成について、図９のブロック図に基づいて説明する。図９では、電力の供給ラインを二重線矢印で示し、信号ラインを実線矢印で示す。
【００４７】
主制御装置７１に設けられた主制御基板７１ａには、演算装置である１チップマイコンとしてのＣＰＵ１０１が搭載されている。ＣＰＵ１０１には、該ＣＰＵ１０１により実行される各種の制御プログラムや固定値データを記憶したＲＯＭ１０２と、そのＲＯＭ１０２内に記憶される制御プログラムの実行に際して各種のデータ等を一時的に記憶するためのメモリであるＲＡＭ１０３と、割込回路やタイマ回路、データ送受信回路などの各種回路が内蔵されている。
【００４８】
ＲＡＭ１０３は、パチンコ機１０の電源の遮断後においても電源・発射制御装置９２に設けられた電源・発射制御基板９２ａからデータ記憶保持用電源（データ記憶保持用電圧）が供給されてデータが保持される構成となっている。詳細には、電源・発射制御基板９２ａには、データ記憶保持用コンデンサが設けられており、当該コンデンサからデータ記憶保持用電源が供給される。
【００４９】
主制御基板７１ａのＣＰＵ１０１には、アドレスバス及びデータバスで構成されるバスラインを介して入出力ポートが接続されている。主制御基板７１ａの入力側には、主制御装置７１に設けられた電源監視基板７１ｂ、払出制御装置９４に設けられた払出制御基板９４ａ及びその他図示しないスイッチ群などが接続されている。この場合に、電源監視基板７１ｂには電源・発射制御基板９２ａが接続されており、主制御基板７１ａには電源監視基板７１ｂを介して電源が供給される。
【００５０】
一方、主制御基板７１ａの出力側には、電源監視基板７１ｂ、払出制御基板９４ａ及び中継端子板９５が接続されている。払出制御基板９４ａには、賞球コマンドなどといった各種コマンドが出力される。かかる場合に、当該各種コマンドは、ハーネスを介して一方向通信によって出力される（すなわち、コマンドを入力した旨の情報が払出制御基板９４ａから主制御基板７１ａに対して出力されない）。また、中継端子板９５を介して主制御基板７１ａからサブ制御装置６５に設けられたサブ制御基板６５ａに対して各種コマンドなどが出力される。加えて、主制御基板７１ａの出力側には、各特定ランプ部４３ａ，４３ｂに配設されたＬＥＤのスイッチや役物ランプ部４４に配設されたＬＥＤのスイッチも接続されている。つまり、各特定ランプ部４３ａ，４３ｂと役物ランプ部４４は、主制御基板７１ａにより直接的に制御されている。なお、図示は省略したが、主制御基板７１ａの出力側には、可変表示ユニット３７の役物保留ランプ４５，第１保留ランプ４６ａ及び第２保留ランプ４６ｂのそれぞれに配設されたランプスイッチも接続されている。
【００５１】
電源監視基板７１ｂは、主制御基板７１ａと電源・発射制御基板９２ａとを中継し、また電源・発射制御基板９２ａから出力される最大電源である直流安定２４ボルトの電源を監視する。
【００５２】
払出制御基板９４ａは、払出装置８９を駆動させて賞球や貸出球の払出制御を行うものである。演算装置であるＣＰＵ１１１は、そのＣＰＵ１１１により実行される制御プログラムや固定値データ等を記憶したＲＯＭ１１２と、ワークメモリ等として使用されるＲＡＭ１１３とを備えている。
【００５３】
払出制御基板９４ａのＲＡＭ１１３は、主制御基板７１ａのＲＡＭ１０３と同様に、パチンコ機１０の電源の遮断後においても電源・発射制御基板９２ａからデータ記憶保持用電源が供給されてデータを保持できる構成となっている。また、ＲＡＭ１１３における各種のカウンタ等が記憶される作業エリアには、コマンド入力フラグ格納エリアなどといった各種フラグ格納エリアと共に、主制御基板７１ａから出力されたコマンドが記憶されるコマンドバッファ１１３ａが設けられている。
【００５４】
コマンドバッファ１１３ａは、主制御基板７１ａから出力されるコマンドを一時的に記憶するリングバッファで構成されている。リングバッファは所定の記憶領域を有しており、その記憶領域の始端から終端に至るまで規則性をもってコマンドが記憶され、全ての記憶領域にコマンドが記憶された場合には、記憶領域の始端に戻りコマンドが更新されるよう構成されている。よって、コマンドが記憶された場合及びコマンドが読み出された場合に、コマンドバッファ１１３ａにおける記憶ポインタ及び読出ポインタが更新され、その各ポインタに基づきコマンドの記憶と読み出しとが行われる。
【００５５】
払出制御基板９４ａのＣＰＵ１１１には、アドレスバス及びデータバスで構成されるバスラインを介して入出力ポートが接続されている。払出制御基板９４ａの入力側には、主制御基板７１ａ、電源・発射制御基板９２ａ、裏セット中継基板９０及び外部中継端子板１５１が接続されている。また、払出制御基板９４ａの出力側には、主制御基板７１ａ、裏セット中継基板９０及び外部中継端子板１５１が接続されている。この場合に、裏セット中継基板９０を介して払出装置８９などを含む払出機構部８５が接続されている。
【００５６】
電源・発射制御基板９２ａは、演算装置であるＣＰＵ１２１と、そのＣＰＵ１２１により実行される制御プログラムや固定値データ等を記憶したＲＯＭ１２２と、ワークメモリ等として使用されるＲＡＭ１２３とを備えており、電源部としての機能と、発射制御部としての機能とを備えている。
【００５７】
電源部は、二重線矢印で示す経路を通じて、主制御基板７１ａや払出制御基板９４ａ等に対して各々に必要な動作電源を供給する。その概要としては、電源部は、裏セット中継基板９０を介して供給される交流２４ボルト電源を取り込み、各種スイッチやモータ等を駆動するための＋１２Ｖ電源、ロジック用の＋５Ｖ電源、ＲＡＭのデータ記憶保持用電源などを生成し、これら＋１２Ｖ電源、＋５Ｖ電源及びデータ記憶保持用電源を主制御基板７１ａや払出制御基板９４ａ等に対して供給する。なお、データ記憶保持用電源を生成するとは、データ記憶保持用コンデンサの充電を行うことをいう。
【００５８】
また、電源部には、ＲＡＭ消去スイッチ回路が設けられている。電源部は、ＲＡＭ消去スイッチ９３のスイッチ信号を読み込み、当該スイッチ９３の読み込み状態に応じて、主制御基板７１ａのＲＡＭ１０３に記憶されたデータをクリアするためのＲＡＭ消去信号を出力する。すなわち、ＲＡＭ消去スイッチ９３が押された場合、ＲＡＭ消去スイッチ回路は主制御基板７１ａに対してＲＡＭ消去信号を出力する。これにより、ＲＡＭ消去スイッチ９３が押された状態でパチンコ機１０の電源が投入されると、主制御基板７１ａにおいてＲＡＭ１０３のデータがクリアされる。また、この際、主制御基板７１ａから払出制御基板９４ａに対して払出初期化コマンドが出力され、払出制御基板９４ａにおいてもＲＡＭ１１３のデータがクリアされる。
【００５９】
発射制御部は、遊技者による遊技球発射ハンドル２９の操作に伴って遊技球発射装置３０の発射制御を担うものである。遊技球発射装置３０に設けられ、遊技球を遊技領域に向けて発射させる発射ソレノイドは、所定の発射条件が成立している場合に駆動される。発射制御の概略を説明すると、発射制御部には、遊技球発射ハンドル２９、より詳しくは遊技球発射ハンドル２９に設けられた発射スイッチ、タッチセンサ及び止め打ちスイッチが接続されている。発射制御部は、発射スイッチとタッチセンサが共にオン、止め打ちスイッチがオフの状態となった場合に限り、発射許可信号を主制御基板７１ａ（電源監視基板７１ｂを介して）に出力する。主制御基板７１ａは、当該発射許可信号の入力に基づいて所定周期（本実施の形態では０．６秒）の発射制御信号を発射制御部（電源監視基板７１ｂを介して）に出力する。これにより、発射制御部は、発射制御信号の入力周期に従って発射ソレノイドを駆動する。この場合に、遊技球発射ハンドル２９にはハンドル操作量を判定するためのダイヤル可変抵抗器が設けられており、発射制御部はダイヤル可変抵抗器における抵抗値の変化に基づいて発射ソレノイドによる打ち出し速度を決定する。
【００６０】
サブ制御基板６５ａは、表示制御装置６２やスピーカ５５、電飾部６５の制御を行うものである。サブ制御基板６５ａは、ＣＰＵ、ＲＯＭ及びＲＡＭ等を備えており、ＣＰＵにはアドレスバス及びデータバスで構成されるバスラインを介して入出力ポートが接続されている。サブ制御基板６５ａの入力側には、中継端子板９５を介して主制御基板７１ａが接続されるとともに、選択スイッチ２４が接続されている。サブ制御基板６５ａは、主制御基板７１ａから出力される各種コマンドや遊技者による選択スイッチ２４の操作に基づいて、表示制御装置６２に対して各種コマンドを出力するとともに、スピーカ５５、電飾部６５の駆動制御を行う。表示制御装置６２は、サブ制御基板６５ａから出力される各種コマンドに基づいて、図柄表示装置４１における図柄の変動表示や各保留個数の表示等を制御する。なお、サブ制御基板６５ａが表示制御装置６２を介することなく図柄表示装置４１を直接制御する構成としても良いし、主制御基板７１ａからの各種コマンドが表示制御装置６２に直接入力される構成としても良い。或いは、サブ制御装置６５及び表示制御装置６２に代えて、前記サブ制御装置の機能と前記表示制御装置の機能とを有する制御装置を設ける構成としても良い。
【００６１】
ここで、電源監視基板７１ｂは、上述したように、電源・発射制御基板９２ａから出力される最大電源である直流安定２４ボルトの電源を監視する。より詳しくは、電源監視基板７１ｂは、電源が２２ボルト未満になると停電（電源遮断）の発生と判断し、主制御基板７１ａのＣＰＵ１０１に設けられたＮＭＩ端子（ノンマスカブル割込端子）に停電信号ＳＧ１を出力する。停電信号ＳＧ１が入力された場合、主制御基板７１ａは、停電の発生を認識してＮＭＩ割込み処理を即座に実行し、さらにこれに基づいて後述する停電時処理を実行する。なお、ＮＭＩ端子とは、割込禁止設定をできない割込端子のことをいう。
【００６２】
また、主制御基板７１ａは、停電時処理において、払出制御基板９４ａのＣＰＵ１１１に設けられたＮＭＩ端子（ノンマスカブル割込端子）へ停電信号ＳＧ２を出力する。停電信号ＳＧ２が入力された場合、払出制御基板９４ａは、停電の発生を認識してＮＭＩ割込み処理を即座に実行し、さらにこれに基づいて停電時処理を実行する。すなわち、本パチンコ機１０の場合、払出制御基板９４ａは、電源監視基板７１ｂから停電信号が直接入力されるのではなく、主制御基板７１ａを介して停電信号が入力される。さらにいうと、停電信号ＳＧ２は払出制御基板９４ａのＮＭＩ端子に入力される構成であるため、停電信号ＳＧ２を伝送するための信号線は、賞球コマンドなどといったコマンド信号を伝送するための信号線とは別個に設けられている。
【００６３】
なお、電源・発射制御基板９２ａは、直流安定２４ボルトの電源が２２ボルト未満になった後においても、停電時処理の実行に充分な時間の間、制御系の駆動電源である５ボルトの出力を正常値に維持するように構成されている。詳細には、電源及び発射制御基板９２ａには、上述したデータ記憶保持用コンデンサとは異なる停電時処理用コンデンサが設けられており、当該コンデンサからの放電により５ボルト電源が維持されるようになっている。このため、主制御基板７１ａと払出制御基板９４ａは、停電時処理を正常に実行し完了することができる。
【００６４】
上記パチンコ機１０の左方には、縦長箱状のＣＲユニット２００が並設されている。ＣＲユニット２００は、記録媒体に記録された残額情報を読み取るためのものであって、上下方向における略中央部には、記録媒体を挿入するための挿入部２０１が形成されている。挿入部２０１の上方には、金額設定ボタン２０２と利用可能ランプ２０３が設けられている。金額設定ボタン２０２は、球貸しボタン２１が操作された場合に残高から減らす金額を設定するものであって、金額設定ボタン２０２を操作することで１００円、２００円、３００円、５００円のいずれかに設定することができる。利用可能ランプ２０３は、挿入部２０１に記録媒体を挿入可能である場合に点灯表示され、記録媒体を挿入不可能である場合に消灯表示されるようになっている。また、ＣＲユニット２００の内部には、残額情報の管理等を行う管理制御装置２０４が設けられており、ＣＲユニット２００の背面には、パチンコ機１０やホール管理装置等が接続される外部中継端子板２０５が設けられている。
【００６５】
次に、パチンコ機１０とＣＲユニット２００の電気的構成を図１０のブロック図に基づいて説明する。
【００６６】
ＣＲユニット２００に設けられた管理制御装置２０４は、演算装置である１チップマイコンとしてのＣＰＵを有しており、ＣＰＵには、当該ＣＰＵにより実行される各種の制御プログラムや固定値データを記憶したＲＯＭと、そのＲＯＭ内に記憶される制御プログラムの実行に際して各種のデータ等を一時的に記憶するためのメモリであるＲＡＭと、割込回路やタイマ回路、データ送受信回路などの各種回路が内蔵されている。管理制御装置２０４には、利用可能ランプ２０３と、外部中継端子板２０５と、挿入部２０１に挿入された記録媒体が記録する残額情報の読み出し及び書き換えを行う記録媒体読み書き部２０６と、が接続されている。また、ＣＲユニット２００の外部中継端子板２０５には、パチンコ機１０の外部中継端子板１５１が接続されており、当該外部中継端子板１５１には、払出制御装置９４と貸球操作部２０が接続されている。ＣＲユニット２００とパチンコ機１０の接続をより詳しく説明すると、ＣＲユニット２００の外部中継端子板２０５には、管理制御装置２０４と接続されたケーブルコネクタが接続される管理側ソケット２１１と、パチンコ機１０の外部中継端子板１５１（より詳しくは第１ソケット１５２）と接続されたケーブルコネクタが接続される外部側ソケット２１２と、これらソケット２１１，２１２を接続する信号線が設けられている。パチンコ機１０の外部中継端子板１５１には、ＣＲユニット２００の外部中継端子板２０５（より詳しくは外部側ソケット２１２）と接続されたケーブルコネクタが接続される第１ソケット１５２と、払出制御装置９４と接続されたケーブルコネクタが接続される第２ソケット１５３と、貸球操作部２０と接続されたケーブルコネクタが接続される第３ソケット１５４と、第１ソケット１５２と第２ソケット１５２を接続する信号線と、第１ソケット１５２と第３ソケット１５４を接続する信号線と、が設けられている。外部側ソケット２１２及び第１ソケット１５２は２５本の接続ピンを有しており、ＣＲユニット２００とパチンコ機１０はこれら接続ピンを介して各種信号を入出力するようになっている。
【００６７】
図１１は、パチンコ機１０とＣＲユニット２００において入出力される信号を示す表である。
【００６８】
第１接続ピン及び第２５接続ピンでは、パチンコ機１０からＣＲユニット２００にＡＣ２４Ｖの電源信号が出力される。第２接続ピンでは、パチンコ機１０からＣＲユニット２００に接続確認信号ＰＳＩが出力される。接続確認信号ＰＳＩがＯＮ状態である場合には、パチンコ機１０とＣＲユニット２００が接続状態であることを示し、接続確認信号ＰＳＩがＯＦＦ状態である場合には、パチンコ機１０とＣＲユニット２００が未接続状態であることを示す。
【００６９】
第３接続ピン〜第７接続ピン，第１９接続ピン及び第２０接続ピンでは、ＣＲユニット２００からパチンコ機１０にセグメント信号ＳＥＧＡ〜ＳＥＧＧが出力される。これら各セグメント信号ＳＥＧＡ〜ＳＥＧＧは、パチンコ機１０の度数表示部２３に設けられた７セグメントＬＥＤの各セグメントと対応している。セグメント信号がＯＮ状態である場合には、７セグメントＬＥＤの対応するセグメントＬＥＤが点灯表示され、セグメント信号がＯＦＦ状態である場合には、７セグメントＬＥＤの対応するセグメントＬＥＤが消灯表示される。また、第１４接続ピン〜第１６接続ピンでは、ＣＲユニット２００からパチンコ機１０にコモン信号ＤＧ１〜ＤＧ３が出力される。第１４接続ピンのコモン信号ＤＧ１は、度数表示部２３の一の位の７セグメントＬＥＤと対応しており、第１５接続ピンのコモン信号ＤＧ２は、度数表示部２３の十の位の７セグメントＬＥＤと対応しており、第１６接続ピンのコモン信号ＤＧ３は、度数表示部２３の百の位の７セグメントＬＥＤと対応している。
【００７０】
第１０接続ピンでは、ＣＲユニット２００からパチンコ機１０に操作可能信号ＴＤＬが出力される。操作可能信号ＴＬＤがＯＮ状態である場合には、度数表示部２３の操作可能ランプが点灯表示され、操作可能信号ＴＬＤがＯＦＦ状態である場合には、度数表示部２３の操作可能ランプが消灯表示される。
【００７１】
第１１接続ピンでは、ＣＲユニット２００からパチンコ機１０に操作確認信号ＢＲＤＹが出力される。操作確認信号ＢＲＤＹは、パチンコ機１０の球貸しボタン２１が操作されたことを管理制御装置２０４が確認した場合にＯＦＦ状態からＯＮ状態に切り替わり、ＯＮ状態に切り替わってから所定時間が経過した場合にＯＮ状態からＯＦＦ状態に切り替わる。
【００７２】
第１２接続ピンでは、パチンコ機１０からＣＲユニット２００に貸出完了信号ＥＸＳが出力される。
【００７３】
第１３接続ピンでは、パチンコ機１０からＣＲユニット２００に貸出可能信号ＰＲＤＹが出力される。パチンコ機１０が貸出球を払出可能である場合には、貸出可能信号ＰＲＤＹがＯＮ状態となり、パチンコ機１０が貸出球を払出不可能である場合には、貸出可能信号ＰＲＤＹがＯＦＦ状態となる。
【００７４】
第１７接続ピン及び第１８接続ピンでは、ＣＲユニット２００からパチンコ機１０に１８Ｖのインターフェース用電源信号が出力される。
【００７５】
第２１接続ピンでは、パチンコ機１０からＣＲユニット２００に貸出操作信号ＴＤＳが出力される。パチンコ機１０の球貸しボタン２１が操作された場合には、貸出操作信号ＴＤＳがＯＮ状態となり、パチンコ機１０の球貸しボタン２１が操作されていない場合には、貸出操作信号ＴＤＳがＯＦＦ状態となる。
【００７６】
第２２接続ピンでは、パチンコ機１０からＣＲユニット２００に返却操作信号ＲＥＳが出力される。パチンコ機１０の返却ボタン２２が操作された場合には、返却操作信号ＲＥＳがＯＮ状態となり、パチンコ機１０の返却ボタン２２が操作されていない場合には、返却操作信号ＲＥＳがＯＦＦ状態となる。
【００７７】
第２３接続ピンでは、ＣＲユニット２００からパチンコ機１０に貸出要求信号ＢＲＱが出力される。
【００７８】
第８接続ピン及び第９接続ピンは、１８Ｖ用のグランドであり、第２４接続ピンは、フレームグランドである。
【００７９】
図１０のブロック図の説明に戻り、ＣＲユニット２００の外部中継端子板２０５には、上記各信号のうち貸出要求信号ＢＲＱを監視する監視回路２１３が設けられており、当該監視回路２１３から管理制御装置２０４に監視信号ＭＮＳが出力されるようになっている。図１２は、監視回路２１３の構成を示す回路図である。
【００８０】
貸出要求信号ＢＲＱを伝送する信号線２１４にはダイオード２１５が設けられており、管理側ソケット２１１から外部側ソケット２１２、すなわちＣＲユニット２００からパチンコ機１０への一方向にのみ貸出要求信号ＢＲＱが出力されるようになっている。
【００８１】
監視回路２１３は、ＡＮＤ回路２１６を有している。ＡＮＤ回路２１６の入力側には、管理側ソケット２１１とダイオード２１５との間に接続されるとともに反転器２１７を有する第１信号線２１８と、外部側ソケット２１２とダイオード２１５との間に接続される第２信号線２１９と、が接続されている。ＡＮＤ回路２１６の出力側には第３信号線２２０が接続されており、当該第３信号線２２０は管理側ソケット２１１と接続されている。
【００８２】
次に、パチンコ機１０の球貸しボタン２１が操作された場合にＣＲユニット２００及びパチンコ機１０が行う一連の処理を説明する。図１３は、球貸しボタン２１が操作されると２００円分の貸出球を払い出す設定における各信号の入出力状況を示すタイミングチャートである。なお、信号が入出力されるとは、信号がＯＮ状態となることを言う。
【００８３】
タイミングｔ１において球貸しボタン２１が操作された場合、貸出操作信号ＴＤＳがＯＦＦ状態からＯＮ状態に切り替わるとともに、当該貸出操作信号ＴＤＳがＣＲユニット２００の管理制御装置２０４に入力される。
【００８４】
管理制御装置２０４は、貸出操作信号ＴＤＳが入力された場合、タイミングｔ２において操作確認信号ＢＲＤＹをパチンコ機１０の払出制御装置９４に出力する。また、管理制御装置２０４は、操作確認信号ＢＲＤＹを出力してから所定時間が経過したタイミングｔ３において、払出制御装置９４に貸出要求信号ＢＲＱを出力する。
【００８５】
払出制御装置９４は、貸出要求信号ＢＲＱが入力された場合、タイミングｔ４において管理制御装置２０４に貸出完了信号ＥＸＳを出力する。そして、貸出要求信号ＢＲＱの入力がタイミングｔ５において終了した場合、払出制御装置９４は、払出モータを駆動して所定数（例えば２５個）の貸出球を払い出す。貸出球の払い出しが完了した場合、払出制御装置９４は、タイミングｔ６において貸出完了信号ＥＸＳの出力を終了する。
【００８６】
管理制御装置２０４は、貸出完了信号ＥＸＳの入力が終了した場合、タイミングｔ７において払出制御装置９４に貸出要求信号ＢＲＱを出力する。
【００８７】
払出制御装置９４は、貸出要求信号ＢＲＱが入力された場合、タイミングｔ８において管理制御装置２０４に貸出完了信号ＥＸＳを出力する。そして、貸出要求信号ＢＲＱの入力がタイミングｔ９において終了した場合、払出制御装置９４は、払出モータを駆動して所定数（例えば２５個）の貸出球を払い出す。貸出球の払い出しが完了した場合、払出制御装置９４は、タイミングｔ１０において貸出完了信号ＥＸＳの出力を終了する。
【００８８】
管理制御装置２０４は、操作確認信号ＢＲＤＹを出力してから所定時間が経過したタイミングｔ１１において、当該操作確認信号ＢＲＤＹの出力を終了する。ちなみに、操作確認信号ＢＲＤＹの出力時間は、金額設定ボタン２０２の操作によって設定された設定金額と対応した時間が設定されている。例えば球貸しボタン２１が操作された場合に２００円分の貸出球を払い出す設定である場合には、操作確認信号ＢＲＤＹを出力してから払出制御装置９４が所定数の貸出球の払出を正常に２回完了するまでに要する時間より長い時間が設定されている。このため、操作確認信号ＢＲＤＹは、払出制御装置９４が所定数の貸出球の払出を正常に２回完了した場合、貸出完了信号ＥＸＳがＯＦＦ状態となった後にＯＮ状態からＯＦＦ状態に切り替わる。
【００８９】
操作確認信号ＢＲＤＹがＯＮ状態からＯＦＦ状態に切り替わった場合には、球貸しボタン２１の操作と対応する貸出球の払出が完了したことを意味する。かかる場合、管理制御装置２０４は、記録媒体の残額情報を書き換えるための処理を行うとともに、書き換え後の残額情報を度数表示部２３に表示すべくセグメント信号ＳＥＧＡ〜ＳＥＧＧ及びコモン信号ＤＧ１〜ＤＧ３を出力する。
【００９０】
このようにケーブルコネクタを介して信号の入出力を行う構成の場合、例えばパチンコ機１０側の第１ソケット１５２を固定する各半田部材及び各接続ピンに不正基板を接触させ、払出制御装置９４に貸出要求信号ＢＲＱが入力されたと誤認識させる不正信号を入力するとともに、貸出完了信号ＥＸＳのＣＲユニット２００への入力を遮断する不正が行われる可能性が考えられる。かかる不正が行われた場合には、記録媒体の残額情報が書き換えられることなく貸出球の払い出しが行われてしまうため、パチンコ機１０を設置する遊技場等に多大な不利益を被らせることとなる。しかしながら、本遊技機システムにおいては、ＣＲユニット２００が監視回路２１３を有するため、上記不正を容易に発見することが可能となる。
【００９１】
ここで、監視回路２１３の作用を説明する。
【００９２】
貸出要求信号ＢＲＱが出力されていない場合、すなわち貸出要求信号ＢＲＱがＯＦＦ状態である場合には、第１信号線２１８の信号はＯＮ状態となり、第２信号線２１９の信号はＯＦＦ状態となる。このため、監視信号ＭＳＮはＯＦＦ状態となる。また、貸出要求信号ＢＲＱが出力されている場合、すなわち貸出要求信号ＢＲＱがＯＮ状態である場合には、第１信号線２１８の信号はＯＦＦ状態となり、第２信号線２１９の信号はＯＮ状態となる。このため、監視信号ＭＳＮはＯＦＦ状態となる。一方、上記不正が行われた場合には、貸出要求信号ＢＲＱを伝送する信号線のうち、管理側ソケット２１１とダイオード２１５の区間がＯＦＦ状態となり、外部側ソケット２１２とダイオード２１５の区間がＯＮ状態となる。このため、第１信号線２１８の信号と第２信号線２１９の信号が共にＯＮ状態となり、監視信号ＭＮＳがＯＮ状態となる。つまり、監視回路２１３は、払出制御装置９４に貸出要求信号ＢＲＱが入力されたと誤認識させる信号が入力された場合に限り、監視信号ＭＮＳを管理制御装置２０４に出力する。管理制御装置２０４は、監視信号ＭＮＳが入力された場合、利用可能ランプ２０３を点滅表示させることで不正が行われたことを報知する。
【００９３】
以上詳述した本実施の形態によれば、以下の優れた効果を奏する。
【００９４】
ＣＲユニット２００に監視回路２１３を設け、当該監視回路２１３を、払出制御装置９４に貸出要求信号ＢＲＱが入力されたと誤認識させる不正信号が入力された場合、監視信号ＭＮＳを管理制御装置２０４に出力する構成とした。かかる構成とすることにより、記録媒体の残額情報を書き換えることなく貸出球の払い出しを行わせる不正を容易に発見することが可能となり、貸出球が不正に払い出されることを抑制することが可能となる。
【００９５】
監視回路２１３をパチンコ機１０ではなくＣＲユニット２００に設けることにより、貸出球が不正に払い出されることを好適に抑制することが可能となる。確かに、監視回路２１３をＣＲユニット２００に設けるのではなくパチンコ機１０の外部中継端子板１５１に設けることも可能である。しかしながら、かかる構成とした場合には、不正対策が一時的なものとなってしまう可能性が考えられる。不正行為者はパチンコ機１０の構成を調査した上で不正行為を試みることが一般的であるため、例えば払出制御装置９４に貸出要求信号ＢＲＱが入力されたと誤認識させる不正信号を出力するとともに監視信号ＭＮＳの出力を遮断する新たな不正基板等が設置される可能性が考えられるからである。一方、ＣＲユニット２００に監視回路２１３を設けた本遊技機システムにおいては、上記懸念を好適に解消することが可能となる。
【００９６】
貸出要求信号ＢＲＱを伝送する信号線２１４にダイオード２１５を設け、ＣＲユニット２００からパチンコ機１０への一方向にのみ貸出要求信号ＢＲＱが出力される構成とした。そして、監視回路２１３を、管理側ソケット２１１とダイオード２１５との間に接続されるとともに反転器２１７を有する第１信号線２１８と、外部側ソケット２１２とダイオード２１５との間に接続される第２信号線２１９と、これら信号線２１８，２１９が入力側に接続されたＡＮＤ回路２１６と、よりなる構成とした。貸出要求信号ＢＲＱを伝送する信号線２１４にダイオード２１５を設けることにより、不正信号を出力する不正基板等がパチンコ機１０に設置されるとともに当該不正基板等から不正信号が出力された場合に、管理側ソケット２１１とダイオード２１５との間における信号出力状況と、外部側ソケット２１２とダイオード２１５との間における信号出力状況と、を異ならせることが可能となる。この結果、貸出要求信号ＢＲＱを伝送する信号線２１４のみを監視して不正信号が入力されたことを検知することが可能となり、比較的簡易な構成で不正行為を発見することが可能となる。
【００９７】
ＣＲユニット２００を、管理制御装置２０４に監視信号ＭＮＳが入力された場合、利用可能ランプ２０３を点滅表示させることで不正が行われたことを報知する構成とした。かかる構成とすることにより、遊技機システムを設置する遊技場の管理者等が比較的速やかに不正行為を発見することが可能となる。この結果、遊技場等が不利益を被ることを抑制することが可能となる。
【００９８】
外部中継端子板１５１をカバー部材１６１に収容して外部中継ユニット１５０とした。そして、外部中継端子板１５１を、カバー部材１６１に装着された場合、外部中継端子板１５１の後端が収容部１６２の後端より前方に位置した状態でカバー部材１６１に固定される構成とした。かかる構成とすることにより、外部中継端子板１５１の表面をカバー部材１６１により保護するとともに、電源・発射制御装置９２の前面壁部１９２と外部中継端子板１５１の裏面との間に隙間領域を形成することで各半田部材及び各接続ピンが前面壁部１９２等に接触して損傷する機会を低減させることが可能となる。故に、外部中継端子板１５１の損傷を抑制することが可能となる。
【００９９】
一方、かかる構成においては、外部中継ユニット１５０が電源・発射制御装置９２に保持されている場合、カバー部材１６１内部において、電源・発射制御装置９２の前面壁部１９２と、外部中継端子板１５１の裏面と、の間に所定の隙間領域が形成されることとなる。外部中継端子板１５１には、ＣＲユニット２００及び払出制御装置９４が接続される。このため、例えばＣＲユニット２００と接続される第１ソケット１５２を固定する各半田部材及び各接続ピンに不正基板を接触させ、払出制御装置９４に貸出要求信号ＢＲＱが入力されたと誤認識させる不正信号が前記半田部材及び接続ピンから入力されるとともに、貸出完了信号ＥＸＳのＣＲユニット２００への入力が遮断された場合、記録媒体の残額情報が減額されることなく貸出球が払い出されることとなる。これは、パチンコ機１０を設置する遊技場等に多大な不利益を被らせることとなる。そこで、前面壁部１９２には、電源・発射制御装置９２からほぼ垂直に外部中継端子板１５１側へと延びる複数のリブ１７３を形成し、これらリブ１７３によって各固定部１５７〜１６０を囲う囲い部１７４〜１７７を形成した。かかる構成とすることにより、外部中継端子板１５１の裏面に形成される隙間領域をこれら囲い部１７４〜１７７によって区画することができ、隙間領域に不正基板等を設置する不正を防止することが可能となる。
【０１００】
囲い部１７４〜１７７を形成するリブ１７３を電源・発射制御装置９２の前面壁部１９２に設けた。かかる構成とすることにより、カバー部材１６１と前面壁部１９２の境界部から不正基板や針金等の不正な異物を隙間領域に向けて挿入された場合であっても、囲い部１７４〜１７７より詳しくはリブ１７３の基端部によって不正な異物の侵入を遮ることが可能となる。故に、上記不正行為を抑制することが可能となる。
【０１０１】
リブ１７３を、外部中継ユニット１５０が閉鎖状態で電源・発射制御装置９２に保持されている場合、外部中継端子板１５１と当接する前後寸法とした。かかる構成とすることにより、仮にカバー部材１６１と前面壁部１９２の境界部から不正基板や針金等の不正な異物を隙間領域に向けて挿入された場合であっても、囲い部１７４〜１７７内部に不正な異物が挿入されることを防止することが可能となる。故に、上記不正行為を抑制することが可能となる。
【０１０２】
カバー部材１６１を透明な合成樹脂材料によって形成した。かかる構成とすることにより、外部中継端子板１５１の表面をカバー部材１６１により覆う構成とした場合であっても、外部中継端子板１５１をカバー部材１６１から取り外すことなく、外部中継端子板１５１の表面に異常等が発生していないかを確認することが可能となる。また、外部中継端子板１５１に貫通孔１５６を形成したため、外部中継ユニット１５０を電源・発射制御装置９２から開放せずとも、貫通孔１５６を通じて第１ソケット１５２背面に形成される隙間領域（すなわち第１囲い部１７４）に不正基板等が設置されていないかを確認することができる。
【０１０３】
なお、上述した実施の形態の記載内容に限定されず、例えば次のように実施してもよい。
【０１０４】
（１）上記実施の形態では、貸出要求信号ＢＲＱを監視することで不正がなされたことを検知する構成としたが、これに代えて又は加えて、操作確認信号ＢＲＤＹを監視することで不正がなされたことを検知する構成としても良い。
【０１０５】
（２）上記実施の形態では、監視回路２１３をＣＲユニット２００に設ける構成としたが、これに代えて又は加えて、パチンコ機１０に設ける構成としても良いし、ＣＲユニット２００とパチンコ機１０を接続するケーブルコネクタに設ける構成としても良い。
【０１０６】
ケーブルコネクタに監視回路を設ける構成においては、上記実施の形態と同様、貸出要求信号ＢＲＱを伝送する信号線にダイオードを設け、当該伝送線の信号出力状況を監視する構成とすれば良い。
【０１０７】
パチンコ機１０に監視回路を設ける構成においては、複数の信号出力状況を監視することが望ましい。例えば、不正に貸出球を払い出させる場合には、球貸しボタン２１を操作しないものと想定される。そこで、監視回路を、貸出操作信号ＴＤＳと貸出要求信号ＢＲＱの信号出力状況を監視し、貸出操作信号ＴＤＳがＯＦＦ状態の状況で貸出要求信号ＢＲＱがＯＮ状態となった場合に監視信号ＭＮＳを出力する構成とする。或いは、監視回路を、操作確認信号ＢＲＤＹと貸出要求信号ＢＲＱの信号出力状況を監視し、操作確認信号ＢＲＤＱがＯＦＦ状態の状況で貸出要求信号ＢＲＱがＯＮ状態となった場合に監視信号ＭＮＳを出力する構成とする。
【０１０８】
（３）上記実施の形態では、電源・発射制御装置９２の前面壁部１９２に複数のリブ１７３を一体形成することで隙間領域を区画し、各囲い部１７４〜１７７によって各固定部１５７〜１６０を外部中継端子板１５１のプリント基板面より小さく囲う構成としたが、かかる構成を変更する。図１４（ａ）は、外部中継ユニット２５０を開いた状態を示す拡大斜視図、図１４（ｂ）は、外部中継ユニット２５０の拡大断面図、図１５は、外部中継端子板２５１の分解斜視図である。なお、上記実施の形態と同様の構成要素については、同一の符号を付す又は符号を付さないことでその詳細な説明を省略する。
【０１０９】
外部中継ユニット２５０は、ＣＲユニット２００及び払出制御装置９４が接続される外部中継端子板２５１と、当該外部中継端子板３５１の前面側を覆うカバー部材１６１と、より構成されている。
【０１１０】
外部中継端子板２５１は縦長矩形状のプリント基板であって、その表面には、図１５に示すように、ＣＲユニット２００と接続されたケーブルコネクタ（図示略）が接続される第１ソケット１５２と、払出制御装置９４と接続されたケーブルコネクタ（図示略）が接続される第２ソケット１５３と、貸球操作部２０と接続されたケーブルコネクタ（図示略）が接続される第３ソケット１５４と、の他に、コンデンサ１５５等が搭載されている。第１ソケット１５２〜第３ソケット１５４及びコンデンサ１５５等の搭載部品は、外部中継端子板２５１の裏面側において半田付けされることにより、外部中継端子板２５１と機械的及び電気的に接続されている。また、図１５に示すように、外部中継端子板２５１には、その左端部に、第１ソケット１５２に沿って長辺方向に延びる貫通孔１５６が形成されており、貫通孔１５６の下方に、ネジ等の締結具２５３を挿通するための挿通孔２５２が形成されている。
【０１１１】
外部中継端子板２５１の裏面には、第１ソケット１５２を外部中継端子板２５１に固定する半田部材及び接続ピン２５４を囲う囲い部材２５５が取り付けられている。囲い部材２５５は、縦長平板状の台座部２５６を有している。台座部２５６には、半田部材及び接続ピン２５４と対応する位置に、前後に貫通する矩形状の貫通孔部２５７が形成されており、貫通孔１５６と対応する位置に、外部中継端子板２５１側に突出する突条２５８が形成されている。また、台座部２５６には、その上部左端に、外部中継端子板２５１側に延びる略Ｌ字状の係止爪部２５９が形成されており、挿通孔２５２と対応する位置に、締結具２５３を固定するための締結孔２６０が設けられている。台座部２５６の裏面には、図１４（ａ）に示すように、貫通孔部２５７周縁から電源・発射制御装置９２側にほぼ垂直に延びる囲い部２６１が一体形成されている。
【０１１２】
囲い部材２５５を外部中継端子板２５１に装着する場合には、係止爪部２５９に外力を加え、当該係止爪部２５９を外方に撓ませる。そして、かかる状態で囲い部材２５５の突条２５８を外部中継端子板２５１の挿通孔２５２へ挿通し、係止爪部２５９に加えている外力を解除する。その後、締結具２５３を、外部中継端子板２５１の表面側から当該外部中継端子板２５１の挿通孔２５２に挿通させるとともに囲い部材２５５の締結孔２６０に螺入させる。これにより、囲い部材２５５が外部中継端子板２５１に固定される。
【０１１３】
電源・発射制御装置９２の前面壁部１９２には、電源・発射制御装置９２からほぼ垂直に外部中継端子板２５１側へと延びる複数のリブ２７３が一体形成されている。リブ２７３は、外部中継端子板２５１の周縁部に沿うように全体として矩形枠状に形成されるとともに、外部中継ユニット２５０の第２係止爪部１６５と対応する位置及び外部中継端子板２５１の締結孔２６０と対応する位置が切り欠かれた形状となっている。また、リブ２７３は、外部中継ユニット２５０が閉鎖状態で電源・発射制御装置９２に保持されている場合、外部中継端子板２５１と当接する前後寸法とされている。電源・発射制御装置９２の前面壁部１９２には、囲い部２６１と対応する位置に、前後に開口する開口孔部２７４が形成されている。
【０１１４】
外部中継ユニット２５０が電源・発射制御装置９２に保持されている場合、図１４（ｂ）に示すように、リブ２７３の先端面が外部中継端子板２５１の裏面と当接する。そして、外部中継端子板２５１に設けられた囲い部２６１の先端部は、電源・発射制御装置９２の開口孔部２７４内に収容される。
【０１１５】
囲い部２６１を外部中継端子板２５１側に設けることにより、第１ソケット１５２を固定する半田部材及び接続ピン２５４の基端から先端までを囲い部２６１によって囲うことが可能となり、半田部材及び接続ピン２５４に不正基板を接触させることを困難なものとすることが可能となる。
【０１１６】
ここで、外部中継端子板２５１において、第１ソケット１５２は、パチンコ機１０外部（すなわちＣＲユニット２００）から遊技者の利益に関わる遊技価値を示す信号（すなわち貸出要求信号ＢＲＱ）が入力される接続ピンを唯一有しており、他のソケットは、前記遊技価値を示す信号が入力される接続ピンを有していない。同様に、第１ソケット１５２は、パチンコ機が遊技者に利益を付与したことを示す利益行為信号（すなわち貸出完了信号ＥＸＳ）が出力される接続ピンを有しており、他のソケットは、前記利益行為信号が出力される接続ピンを有していない。つまり、遊技者の利益に関わる信号が入力される接続ピンと、遊技者の利益に関わる信号が出力される接続ピンと、を共に有する第１ソケット１５２を囲い部２６１によって囲うことにより、好適に不正行為を抑制することが可能となる。
【０１１７】
電源・発射制御装置９２の前面壁部１９２に開口孔部２７４を形成し、外部中継ユニット２５０が電源・発射制御装置９２に保持されている場合、外部中継端子板２５１に設けられた囲い部２６１の先端部が電源・発射制御装置９２の開口孔部２７４内に収容される構成とした。かかる構成とすることにより、仮にカバー部材１６１と前面壁部１９２の境界部から不正基板や針金等の不正な異物を隙間領域に向けて挿入された場合であっても、囲い部２６１内部に不正な異物が挿入されることを防止することが可能となる。故に、半田部材及び接続ピン２５４に不正基板を接触させて行う不正を抑止することが可能となる。
【０１１８】
外部中継端子板１５１と囲い部材２５５を固定する締結具２５３を、外部中継端子板２５１の表面側から当該外部中継端子板２５１の挿通孔２５２に挿通させるとともに囲い部材２５５の締結孔２６０に螺入させる構成とした。かかる構成とすることにより、外部中継端子板２５１がカバー部材１６１に収容されている場合に、囲い部材２５５が外部中継端子板２５１から取り外されることを回避することが可能となる。カバー部材１６１から外部中継端子板２５１を取り外さない限りは、締結具２５３を囲い部材２５５及び外部中継端子板２５１から取り外せないからである。故に、不正に囲い部材２５５が外部中継端子板２５１から取り外されることを抑制することが可能となる。
【０１１９】
なお、上述した構成においては、電源・発射制御装置９２の前面壁部１９２に開口孔部２７４を設ける構成としたが、かかる構成に限定されるものではなく、囲い部２６１の先端部を前面壁部１９２側に収容可能な構成であれば良い。例えば、前面壁部１９２に囲い部２６１と対応する溝部を形成し、当該溝部に囲い部２６１の先端部が収容される構成としても良い。
【０１２０】
（４）上記実施の形態では、電源・発射制御装置９２の前面壁部１９２に複数のリブ１７３を一体形成することで隙間領域を区画する構成としたが、かかる構成を変更する。図１６（ａ）は、外部中継ユニット３５０を開いた状態を示す拡大斜視図、図１６（ｂ）は、外部中継ユニット２５０の拡大断面図である。なお、上記実施の形態と同様の構成要素については、同一の符号を付す又は符号を付さないことでその詳細な説明を省略する。
【０１２１】
外部中継ユニット３５０は、ＣＲユニット２００及び払出制御装置９４が接続される外部中継端子板３５１と、当該外部中継端子板３５１の前面側を覆うカバー部材１６１と、より構成されている。
【０１２２】
外部中継端子板３５１の構成は、上記実施の形態における外部中継端子板１５１の構成とほぼ同様であり、その中央左部に第１ソケット１５２を左右方向において貫通孔１５６と挟むように円柱状の第２貫通孔３５２が形成されている点が異なっている。
【０１２３】
電源・発射制御装置９２の前面壁部１９２には、外部中継ユニット３５０と対応する位置に、外部中継端子板３５１側に膨出する膨出部３７０が一体形成されている。膨出部３７０は、前面壁部１９２からほぼ垂直に外部中継端子板３５１側に延びる矩形状の脚部３７０ａと、当該脚部３７０ａの先端で外部中継端子板３５１の裏面と対向する対向部３７０ｂと、を有し、全体として電源・発射制御装置９２側に開放する箱状に形成されている。脚部３７０ａは、外部中継ユニット３５０が閉鎖状態で電源・発射制御装置９２に保持されている場合、対向部３７０ｂが外部中継端子板３５１と当接する前後寸法とされている。対向部３７０ｂは、外部中継端子板３５１とほぼ同一の上下寸法及び左右寸法とされるとともに、第２係止爪部１６５と対応する位置に逃げ部３７１が形成されている。対向部３７０ｂには、前後に開口する開口孔部３７２〜３７７が複数形成されている。すなわち、第１ソケット１５２を固定する各半田部材及び各接続ピンと対応する位置には、第１開口孔部３７２が形成されており、第２ソケット１５３を固定する各半田部材及び各接続ピンと対応する位置には、第２開口孔部３７３が形成されており、第３ソケット１５４を固定する各半田部材及び各接続ピンと対応する位置には、第３開口孔部３７４が形成されている。また、コンデンサ１５５等を固定する各半田部材及び各接続ピンと対応する位置には、第４開口孔部３７５，第５開口孔部３７６及び第６開口孔部３７７が形成されている。加えて、対向部３７０ｂには、外部中継端子板３５１の貫通孔１５６及び第２貫通孔３５２と対応する位置に、突条３７８及び突起部３７９が形成されている。
【０１２４】
外部中継ユニット３５０が電源・発射制御装置９２に保持されている場合、図１６（ｂ）に示すように、外部中継端子板３５１の裏面が膨出部３７０の対向部３７０ｂと当接するとともに、外部中継端子板３５１の貫通孔１５６に突条３７８が挿入され、外部中継端子板３５１の第２貫通孔３５２に突起部３７９が挿入された状態となる。そして、外部中継端子板３５１の各半田部材及び各接続ピンは、対応する各開口孔部３７２〜３７７に収容される。
【０１２５】
電源・発射制御装置９２の前面壁部１９２に、外部中継端子板３５１側に膨出する膨出部３７０を形成した。かかる構成とすることにより、電源・発射制御装置９２の前面壁部１９２と、外部中継端子板３５１の裏面と、の間に生じる隙間領域を膨出部３７０によって埋めることができる。この結果、不正基板を設置するための領域を確保することが困難なものとなり、不正行為を抑制することが可能となる。
【０１２６】
膨出部３７０には、各半田部材及び各接続ピンと対応する位置に開口孔部３７２〜３７７を形成したため、各半田部材及び各接続ピンを開口孔部３７２〜３７７の内部に収容することができる。また、開口孔部３７２〜３７７を前後に開口する形状とすることにより、半田部材及び接続ピンと膨出部３７０が接触することで当該半田部材及び接続ピンが損傷することを回避することが可能となる。
【０１２７】
上述した構成においては、電源・発射制御装置９２の前面壁部１９２に膨出部３７０を形成することで隙間領域を埋める構成とするとともに、各半田部材及び各接続ピンと対応する位置に開口孔部３７２〜３７７を形成する構成としたが、かかる構成を変更する。図１７（ａ）は、外部中継ユニット４５０を開いた状態を示す拡大斜視図、図１７（ｂ）は、外部中継ユニット４５０の拡大断面図である。なお、外部中継ユニット４５０の構成については、上記実施の形態における外部中継ユニット１５０と同一であるため、説明を省略する。また、電源・発射制御装置９２の前面壁部１９２に形成された膨出部４７０の構成については、上述した膨出部３７０とほぼ同様であるため、相違点のみを説明する。
【０１２８】
本構成における膨出部４７０には、対向部３７０ｂに突条３７８及び突起部３７９が形成されていない。また、前後に開口する開口孔部３７２〜３７７に代えて、外部中継端子板１５１の半田部材及び接続ピンを個々に収容する収容凹部４７１が複数形成されている。
【０１２９】
かかる構成においては、上述した効果に加えて、膨出部４７０に前後に開口する開口孔部３７２〜２７７を有さないため、電源・発射制御装置９２内部に異物が挿入されることを防止することができる。また、収容凹部４７１の大きさが半田部材及び接続ピンを個々に収容する大きさであるため、収容凹部４７１内の余剰スペースを利用して不正がなされることを抑制することが可能となる。
【０１３０】
なお、上述した各構成においては、膨出部３７０，４７０を電源・発射制御装置９２の前面壁部１９２に一体形成したが、膨出部を別体構成としても良い。かかる構成とした場合には、電源・発射制御装置９２内部を閉鎖空間とすることができ、電源・発射制御装置９２内部に開口孔部から不正な異物等が挿入されることを防止することが可能となる。
【０１３１】
（５）上記実施の形態では、電源・発射制御装置９２の前面壁部１９２に複数のリブ１７３を形成して隙間領域を区画する構成としたが、これに加えて、上記（２）において示したように、外部中継端子板１５１側に半田部材及び接続ピンを囲う囲い部材２５５を設けても良い。
【０１３２】
（６）上記実施の形態では、リブ１７３を、外部中継ユニット１５０が閉鎖状態で電源・発射制御装置９２に保持されている場合に外部中継端子板１５１と当接する前後寸法としたが、リブ１７３の先端が各固定部の半田部材先端（接続ピンが半田部材より突出する構成においては接続ピン先端）より外部中継端子板１５１側に位置する前後寸法であれば、上記実施の形態と同様の作用効果を奏することが期待できる。
【０１３３】
（７）上記実施の形態では、囲い部１７４〜１７７を連続した矩形枠状を有する構成としたが、一部が断続した形状を有する構成としても良い。すなわち、上記（２）に記載したリブ２７３のように、全体として矩形枠状を有するとともに一部が切り欠かれた形状となっていても良い。また、矩形枠状に限らず、円形状に囲う構成としても良いし、囲う形状は任意である。さらにいうと、半田部材及び接続ピンから所定の向きに、当該半田部材及び接続ピンへの接触又は隙間領域への侵入を規制する規制部材を有する構成においては、囲い部材が前記所定の向きに開放された形状を有する構成としても良い。
【０１３４】
（８）上記実施の形態では、カバー部材１６１を透明な合成樹脂材料にて形成する構成としたが、無色透明な合成樹脂材料に限らず有色透明な合成樹脂材料にて形成しても良いことは言うまでもない。
【０１３５】
（９）上記実施の形態では、第１ソケット１５２〜第３ソケット１５４及びコンデンサ１５５等の搭載部品を、外部中継端子板の裏面側において半田付けされることによって外部中継端子板と機械的及び電気的に接続される構成としたが、半田部材に限らず導電性部材によって機械的及び電気的に接続される構成であれば良い。また、導電性部材及び接続ピンを合成樹脂等の非導電性部材によって覆う構成としても良い。かかる構成とした場合には、導電性部材及び接続ピンに不正基板を接触させて行う不正を防止することが可能となる。このとき、前記非導電性部材として透過性部材を用いれば、導電性部材及び接続ピンが損傷していないか等を容易に確認することが可能となり、前記非導電性部材として非透過性部材を用いれば、導電性部材及び接続ピンの位置等を特定することが困難なものとなり、不正行為を防止することが可能となる。
【０１３６】
（１０）上記実施の形態では、払出制御装置９４に貸出要求信号ＢＲＱが入力されたと誤認識させる信号が入力された場合、利用可能ランプ２０３を点滅表示させることで不正が行われたことを報知する構成、すなわちＣＲユニット２００が報知する構成としたが、パチンコ機１０が報知する構成としても良いことは言うまでもない。また、ＣＲユニット２００とホール管理装置とを電気的に接続し、パチンコ機１０やＣＲユニット２００ではなくホール管理装置が報知する構成としても良い。
【０１３７】
（１１）上記実施の形態では、パチンコ機１０の球貸しボタン２１が操作された場合に貸出要求信号ＢＲＱを出力するＣＲユニット２００を外部装置の例として説明したが、かかる構成に限定されるものではない。例えば、紙幣を挿入可能な挿入部と、紙幣が挿入された場合に金額を記憶する金額情報記憶部と、球貸しボタンと、球貸しボタンが操作された場合に貸出要求信号を出力する出力部と、を備えた外部装置でも良いし、紙幣を挿入可能な挿入部と、紙幣が挿入された場合に貸出要求信号を出力する出力部と、を備えた外部装置でも良い。
【０１３８】
また、貸出要求信号を出力する外部装置に限らず、遊技球等の遊技媒体を払い出させるための払出要求信号を出力する外部装置であっても良い。当該外部装置としては、例えば大当たりが発生することなく所定回数の遊技が行われた場合に強制的に大当たりを発生させるための大当たり信号を出力するホール管理装置等が一例として挙げられる。
【０１３９】
（１２）上記実施の形態とは異なる他のタイプのパチンコ機等に適用しても良いことは言うまでもない。例えば、作動口を遊技球が通過したことを契機として第１抽選を行い、この第１抽選に当選すると特別装置が所定の開放状態となり、特別装置の特定領域に遊技球が入ると大当たり発生となるタイプのパチンコ機に適用しても良い。また、遊技者に払い出すべき賞球を仮想遊技媒体として貯留記憶する貯留記憶手段を備えたパチンコ機に適用しても良い。さらには、スロットマシン等の他の遊技機に適用しても良い。
【０１４０】
以下、上述した各構成から抽出できる発明を、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０１４１】
発明１．所定条件（大当たり状態の発生、大入賞口への入賞等）が成立した場合に遊技媒体（遊技球）を払い出す遊技機（パチンコ機１０）と、前記遊技機の外部から前記遊技機に前記遊技媒体を払い出させるための特定信号（貸出要求信号ＢＲＱ）を出力する外部装置（ＣＲユニット２００）と、を備えた遊技機システムにおいて、前記遊技機に前記特定信号が入力されたと認識させる不正信号が入力されたことを検知する検知手段（監視回路２１３）を備えたことを特徴とする遊技機システム。
【０１４２】
本発明によれば、遊技機に特定信号が入力されたと認識させる不正信号が入力されたことを検知する検知手段を設けたため、遊技媒体が不正に払い出されることを抑制することが可能となる。
【０１４３】
発明２．上記発明１において、前記検知手段を前記外部装置に設けたことを特徴とする遊技機システム。
【０１４４】
本発明によれば、検知手段を外部装置に設けたため、不正信号を出力する不正基板等が遊技機に設置された場合に、当該不正行為を外部装置側で検知することが可能となる。
【０１４５】
発明３．上記発明１又は発明２において、前記遊技機と前記外部装置を電気的に接続するとともに前記特定信号を伝送する伝送手段（信号線）を有する接続部材（ケーブルコネクタ）を備え、当該接続部材に前記検知手段を設けたことを特徴とする遊技機。
【０１４６】
本発明によれば、遊技機と外部装置を電気的に接続する接続部材に検知手段を設けることにより、例えば既に遊技場等に設置されている遊技機と外部装置において、遊技媒体が不正に払い出されることを抑制することが可能となる。
【０１４７】
発明４．上記発明１乃至発明３のいずれかにおいて、前記特定信号を伝送する伝送手段（信号線２１４）を備え、前記伝送手段には、前記特定信号を前記外部装置から前記遊技機に伝送する一方で前記遊技機から前記外部装置に伝送することを規制する規制手段（ダイオード２１５）を設け、前記検知手段を、前記外部装置から前記規制手段までの信号出力状況と、前記規制手段から前記遊技機までの信号出力状況と、を監視し、一方の信号出力状況が他方の信号出力状況と異なる場合に前記不正信号が入力されたと検知する構成としたことを特徴とする遊技機。
【０１４８】
本発明によれば、伝送手段に特定信号を外部装置から遊技機に伝送する一方で遊技機から外部装置に伝送することを規制する規制手段を設けたため、不正信号を出力する不正基板等が遊技機に設置されるとともに当該不正基板等から不正信号が出力された場合に、外部装置から規制手段までの信号出力状況と、規制手段から遊技機までの信号出力状況と、を異ならせることが可能となる。この結果、伝送手段の信号出力状況を監視することで不正信号が入力されたことを検知することが可能となり、比較的簡易な構成で不正行為を検知することが可能となる。
【０１４９】
発明５．上記発明１乃至発明４のいずれかにおいて、前記検知手段を前記遊技機に設けたことを特徴とする遊技機システム。
【０１５０】
本発明によれば、検知手段を遊技機に設けたため、不正信号を出力する不正基板等が遊技機に設置された場合に、当該不正行為を遊技機側で検知することが可能となる。
【０１５１】
発明６．上記発明５において、前記外部装置を、所定操作（球貸しボタン２１の操作）がなされた場合に前記特定信号を出力する構成とし、前記遊技機は、前記特定信号を伝送する第１伝送手段と、前記所定操作に関わる所定操作信号を伝送する第２伝送手段と、を備え、前記検知手段を、前記第１伝送手段の信号伝送状況と、前記第２伝送手段の信号伝送状況と、を監視し、一方の信号伝送状況が他方の信号伝送状況と異なる場合に前記不正信号が入力されたと検知する構成としたことを特徴とする遊技機。
【０１５２】
本発明によれば、伝送手段に特定信号を外部装置から遊技機に伝送する一方で遊技機から外部装置に伝送することを規制する規制手段を設けたため、不正信号を出力する不正基板等が遊技機に設置されるとともに当該不正基板等から不正信号が出力された場合に、外部装置から規制手段までの信号出力状況と、規制手段から遊技機までの信号出力状況と、を異ならせることが可能となる。この結果、伝送手段の信号出力状況を監視することで不正信号が入力されたことを検知することが可能となり、比較的簡易な構成で不正行為を検知することが可能となる。
【０１５３】
発明７．上記発明１乃至発明６のいずれかにおいて、前記外部装置は、所定金額の投入又は所定金額の投入を示す操作がなされた場合に前記特定信号を出力することを特徴とする遊技機。
【０１５４】
本発明によれば、外部装置は、所定金額の投入又は所定金額の投入を示す操作がなされた場合に特定信号を出力する。かかる構成においては、遊技機に特定信号が入力されたと認識させる不正信号が入力された場合、所定金額が投入されることなく遊技媒体が払い出されることとなり、遊技システムを設置する遊技場等が多大な不利益を被ることとなる。しかしながら、本発明に上記発明１乃至発明６のいずれかを適用した場合には、所定金額が投入されることなく遊技媒体が払い出されることを抑制することが可能となり、遊技システムを設置する遊技場等が不利益を被ることを抑制することが可能となる。
【０１５５】
発明８．上記発明１乃至発明７のいずれかにおいて、前記検知手段が前記不正信号の入力を検知した場合に所定の報知を行う報知手段（利用可能ランプ２０３）を備えたことを特徴とする遊技機システム。
【０１５６】
本発明によれば、不正信号の入力を検知した場合に所定の報知を行うため、遊技機システムを設置する遊技場の管理者等が比較的速やかに不正行為を発見することが可能となる。この結果、遊技場等が不利益を被ることを抑制することが可能となる。
【０１５７】
発明９．上記発明１乃至発明８のいずれかの遊技機システムに用いられることを特徴とする遊技機。
【０１５８】
本発明によれば、遊技機に特定信号が入力されたと認識させる不正信号が入力されたことを検知する検知手段を設けたため、遊技媒体が不正に払い出されることを抑制することが可能となる。
【０１５９】
発明１０．上記発明１乃至発明８のいずれかの遊技機システムに用いられる遊技機であって、当該遊技機は、前記遊技媒体の払出に関わる制御を行う払出制御手段（払出制御装置９４）と、前記外部装置及び前記払出制御手段を電気的に接続する中継手段（外部中継端子板１５１，２５１，３５１）と、前記中継手段への不正な接続を規制する規制手段（第１囲い部１７４、第２囲い部１７５、第３囲い部１７６、第４囲い部１７７、囲い部２６１、第１開口孔部３７２、第２開口孔部３７３、第３開口孔部３７４、第４開口孔部３７５、第５開口孔部３７６、第６開口孔部３７７、収容凹部４７１）と、を備えたことを特徴とする遊技機。
【０１６０】
本発明によれば、遊技機には中継手段への不正な接続を規制する規制手段が設けられているため、特定信号が入力されたと認識させる不正信号を出力するための不正基板等が中継手段に接続されることを規制することが可能となる。
【０１６１】
発明１１．遊技機の外部から前記遊技機に前記遊技媒体を払い出させるための特定信号（貸出要求信号ＢＲＱ）を出力する外部装置（ＣＲユニット２００）と、前記遊技機に前記特定信号が入力されたと認識させる不正信号が入力されたことを検知する検知手段（監視回路２１３）と、を備えた遊技機システムに用いられることを特徴とする遊技機。
【０１６２】
本発明によれば、遊技機に特定信号が入力されたと認識させる不正信号が入力されたことを検知する検知手段を設けたため、遊技媒体が不正に払い出されることを抑制することが可能となる。
【０１６３】
発明１２．遊技機の外部から前記遊技機に前記遊技媒体を払い出させるための特定信号（貸出要求信号ＢＲＱ）を出力する外部装置（ＣＲユニット２００）と、前記遊技機に前記特定信号が入力されたと認識させる不正信号が入力されたことを検知する検知手段（監視回路２１３）と、を備えた遊技機システムに用いられ、前記遊技媒体の払出に関わる制御を行う払出制御手段（払出制御装置９４）と、前記外部装置及び前記払出制御手段を電気的に接続する中継手段（外部中継端子板１５１，２５１，３５１）と、前記中継手段への不正な接続を規制する規制手段（第１囲い部１７４、第２囲い部１７５、第３囲い部１７６、第４囲い部１７７、囲い部２６１、第１開口孔部３７２、第２開口孔部３７３、第３開口孔部３７４、第４開口孔部３７５、第５開口孔部３７６、第６開口孔部３７７、収容凹部４７１）と、を備えたことを特徴とする遊技機。
【０１６４】
本発明によれば、遊技機に特定信号が入力されたと認識させる不正信号が入力されたことを検知する検知手段を設けたため、遊技媒体が不正に払い出されることを抑制することが可能となる。また、遊技機には中継手段への不正な接続を規制する規制手段が設けられているため、特定信号が入力されたと認識させる不正信号を出力するための不正基板等が中継手段に接続されることを規制することが可能となる。
【０１６５】
発明１３．遊技機の外部から前記遊技機に前記遊技媒体を払い出させるための特定信号（貸出要求信号ＢＲＱ）を出力する外部装置（ＣＲユニット２００）と、前記遊技機に前記特定信号が入力されたと認識させる不正信号が入力されたことを検知する検知手段（監視回路２１３）と、を備えた遊技機システムに用いられる遊技機であって、前記遊技機は、前記遊技媒体の払出に関わる制御を行う払出制御手段（払出制御装置９４）と、前記外部装置及び前記払出制御手段を電気的に接続する中継手段（外部中継端子板１５１，２５１，３５１）とを備え、前記中継手段は、所定面（表面）に前記払出制御手段又は前記外部装置と電気的に接続される被接続手段（第１ソケット１５２、第２ソケット１５３、第３ソケット１５４）を有し、前記所定面と反対側の第２所定面（裏面）に前記被接続手段と前記中継手段を接続する導電性接続手段（半田部材及び接続ピン）を有するものであって、前記中継手段と、前記中継手段の第２所定面を覆うとともに前記中継手段が取り付けられる取付部（前面壁部１９２）と、の少なくとも一方には、前記導電性接続手段を前記中継手段の前記第２所定面よりも小さく囲う囲い部（第１囲い部１７４、第２囲い部１７５、第３囲い部１７６、第４囲い部１７７、囲い部２６１、第１開口孔部３７２、第２開口孔部３７３、第３開口孔部３７４、第４開口孔部３７５、第５開口孔部３７６、第６開口孔部３７７、収容凹部４７１）を設けたことを特徴とする遊技機。
【０１６６】
本発明によれば、遊技機に特定信号が入力されたと認識させる不正信号が入力されたことを検知する検知手段を設けたため、遊技媒体が不正に払い出されることを抑制することが可能となる。
【０１６７】
また、遊技機には、中継手段と取付部との少なくとも一方に、導電性接続手段を中継手段の第２所定面よりも小さく囲う囲い部を設けた。かかる構成とすることにより、払出制御手段に特定信号が入力されたと認識させる不正信号を出力するための不正基板等を設置可能な領域を小さく制限するとともに、導電性接続手段に向けて不正基板等が挿入されることを規制することが可能となり、不正基板等を設置する不正行為を抑制することが可能となる。
【０１６８】
なお、「囲い部」とは、導電性接続手段を連続的に囲う形状を有するものに限らず、その一部が断続された形状を有するものも含む。
【符号の説明】
【０１６９】
１０…遊技機としてのパチンコ機、１１…外枠、１２…本体枠、１３…前扉枠、１５…遊技盤、２９…遊技球発射ハンドル、３０…遊技球発射手段としての遊技球発射装置、３４…可変入球装置としての可変入賞装置、３５…作動口装置、３５ａ…第１作動口としての上側作動口、３５ｂ…第２作動口としての下側作動口、３７…可変表示ユニット、４１…絵柄表示装置及び保留状況表示手段としての図柄表示装置、４３ａ…第１識別情報表示手段としての第１特定ランプ部、４３ｂ…第２識別情報表示手段としての第２特定ランプ部、４４…役物ランプ部、７１…主制御装置、９２…電源・発射制御装置、９４…払出制御装置、１５０…外部中継ユニット、１５１…外部中継端子板、１５２…第１ソケット、１５３…第２ソケット、１５４…第３ソケット、１５６…貫通孔、１６１…カバー部材、１６２…収容部、１６５…第２係止爪部、１７３…リブ、１７４…第１囲い部、１７５…第２囲い部、１７６…第３囲い部、１７７…第４囲い部、２００…外部装置としてのＣＲユニット、２０１…挿入部、２０３…報知手段としての利用可能ランプ、２０４…管理制御装置、２０５…外部中継端子板、２１３…監視回路、２１４…信号線、２１５…ダイオード、２１６…ＡＮＤ回路、２１７…反転器、２５０…外部中継ユニット、２５１…外部中継端子板、２５２…挿通孔、２５３…締結具、２５４…半田部材及び接続ピン、２５５…囲い部材、２６１…囲い部、２７４…開口孔部、３５０…外部中継ユニット、３５１…外部中継端子板、３７０…膨出部、３７０ａ…脚部、３７０ｂ…対向部、３７２…第１開口孔部、３７３…第２開口孔部、３７４…第３開口孔部、３７５…第４開口孔部、３７６…第５開口孔部、３７７…第６開口孔部、４５０…外部中継ユニット、４７０…膨出部、４７１…収容凹部。
【図１】
2020168471.tif 000003
【図２】
2020168471.tif 000004
【図３】
2020168471.tif 000005
【図４】
2020168471.tif 000006
【図５】
2020168471.tif 000007
【図６】
2020168471.tif 000008
【図７】
2020168471.tif 000009
【図８】
2020168471.tif 000010
【図９】
2020168471.tif 000011
【図１０】
2020168471.tif 000012
【図１１】
2020168471.tif 000013
【図１２】
2020168471.tif 000014
【図１３】
2020168471.tif 000015
【図１４】
2020168471.tif 000016
【図１５】
2020168471.tif 000017
【図１６】
2020168471.tif 000018
【図１７】
2020168471.tif 000019